(57)【要約】【課題】道路標識板の照明等のための付加的光分布を生成可能な、マイクロ光学系式投影装置を提供する。【解決手段】投影装置（１）はマイクロ入射光学系（３ａ）の全数を有する入射光学系（３）と、マイクロ出射光学系（４ａ）の全数を有する出射光学系（４）と、マイクロ入射光学系（３ａ）とマイクロ出射光学系（４ａ）の間に配置された少なくとも１つの絞り装置（８ａ’、８ａ’’）を含む。少なくともマイクロ入射光学系（３ａ）とこれに割り当てられたマイクロ出射光学系（４ａ）とこれらの間に位置する少なくとも１つの絞り装置（８ａ’、８ａ’’）とによって夫々１つの減光ライトマイクロ光学系が構成される。少なくとも１つの絞り装置（８ａ’、８ａ’’）は、夫々のマイクロ出射光学系（４ａ）によって放射される光分布が減光ライト光分布の一部分を構成するように、夫々のマイクロ出射光学系（４ａ）によって結像される光分布を制限するよう構成されており、このために、絞り装置（８ａ’、８ａ’’）は、減光ライト光分布の明暗境界の推移を結像する少なくとも１つの光学的作用絞りエッジを有する。減光ライトマイクロ光学系の全数は少なくとも２つのグループの減光ライトマイクロ光学系、具体的には、少なくとも１つの第１バリエーションの絞り装置（８ａ’）を備えた第１グループの減光ライトマイクロ光学系、及び、少なくとも１つの第２バリエーションの絞り装置（８ａ’’）を備えた第２グループの減光ライトマイクロ光学系を含む。第２バリエーションの絞り装置（８ａ’’）に、絞りエッジ（Ｋ）にまで形成された絞り装置の遮光領域の内部に明暗境界の上側に位置する光分布（Ｌsign）を結像するための少なくとも部分的に透光性の少なくとも１つのウインドウ（Ｆ）が形成されていることによって、第２バリエーションの絞り装置（８ａ’’）の形状は少なくともその点に関し第１バリエーションの絞り装置（８ａ’）の形状と相違している。【選択図】図４
2021506066.tif 000002
【特許請求の範囲】
【請求項１】
自動車両用投光装置のための投影装置であって、
投影装置（１）は、当該投影装置（１）に割り当てられた少なくとも１つの光源（２）の光を自動車両の前方の領域に少なくとも１つの光分布、即ち減光ライト光分布の形で結像するよう構成されており、
投影装置（１）は、
・好ましくはアレイに配置されたマイクロ入射光学系（３ａ）の全数を有する入射光学系（３）、
・好ましくはアレイに配置されたマイクロ出射光学系（４ａ）の全数を有する出射光学系（４）
を含み、
各マイクロ入射光学系（３ａ）には丁度１つのマイクロ出射光学系（４ａ）が割り当てられており、
マイクロ入射光学系（３ａ）から出射する実質的にすべての光がそれに割り当てられたマイクロ出射光学系（４ａ）にのみ入射するよう、マイクロ入射光学系（３ａ）は構成されており及び／又はマイクロ入射光学系（３ａ）とマイクロ出射光学系（４ａ）は互いに対し配置されており、
マイクロ入射光学系（３ａ）によって予成形された光はマイクロ出射光学系（４ａ）によって自動車両の前方の領域に少なくとも１つの光分布として結像され、
各マイクロ入射光学系（３ａ）はそれ自身を通過した光を少なくとも１つのマイクロ出射光学系焦点に合焦し、該マイクロ出射光学系焦点はマイクロ入射光学系（３ａ）とそれに割り当てられたマイクロ出射光学系（４ａ）との間に位置し、マイクロ入射光学系（３ａ）とマイクロ出射光学系（４ａ）の間には少なくとも１つの絞り装置（８ａ’、８ａ’’）が配置されており、
少なくともマイクロ入射光学系（３ａ）とこれに割り当てられたマイクロ出射光学系（４ａ）とこれらの間に位置する少なくとも１つの絞り装置（８ａ’、８ａ’’）とによって夫々１つの減光ライトマイクロ光学系が構成され、
少なくとも１つの絞り装置（８ａ’、８ａ’’）は、夫々のマイクロ出射光学系（４ａ）によって放射される光分布が減光ライト光分布の一部分を構成するように、夫々のマイクロ出射光学系（４ａ）によって結像される光分布を制限するよう構成されており、このために、絞り装置（８ａ’、８ａ’’）は、減光ライト光分布の明暗境界の推移を結像する少なくとも１つの光学的作用絞りエッジ（Ｋ）を有し、
減光ライトマイクロ光学系の全数は少なくとも２つのグループの減光ライトマイクロ光学系、即ち、
・少なくとも第１バリエーションの絞り装置（８ａ’）を備えた第１グループの減光ライトマイクロ光学系、及び、
・少なくとも第２バリエーションの絞り装置（８ａ’’）を備えた第２グループの減光ライトマイクロ光学系
を含み、
第２バリエーションの絞り装置（８ａ’’）に、絞りエッジ（Ｋ）にまで形成された絞り装置の遮光領域（Ｄ）の内部に明暗境界の上側に位置する光分布（Ｌsign）を結像するための少なくとも部分的に透光性の少なくとも１つのウインドウ（Ｆ）が形成されていることによって、第２バリエーションの絞り装置（８ａ’’）の形状は少なくともその点に関し第１バリエーションの絞り装置（８ａ’）の形状と相違していること
を特徴とする投影装置。
【請求項２】
請求項１に記載の投影装置において、
第２バリエーションの個別減光ライトマイクロ光学系は、明暗境界の上側に位置する光分布（Ｌsign）が明暗境界から０．５°〜２°の垂直方向角度をなして離隔されるよう構成されていること
を特徴とする投影装置。
【請求項３】
請求項１又は２に記載の投影装置において、
第２バリエーションの個別減光ライトマイクロ光学系は、明暗境界の上側に位置する光分布（Ｌsign）が１０°〜５０°の水平角度領域にわたって及び２°〜１０°の垂直角度領域にわたって延在するよう構成されていること
を特徴とする投影装置。
【請求項４】
請求項１〜３の何れかに記載の投影装置において、
第２バリエーションの個別減光ライトマイクロ光学系の少なくとも部分的に透光性のウインドウ（Ｆ）は実質的に矩形の形状を有すること
を特徴とする投影装置。
【請求項５】
請求項１〜３の何れかに記載の投影装置において、
第２バリエーションの個別減光ライトマイクロ光学系の少なくとも部分的に透光性のウインドウ（Ｆ）はＵ字状に形成されていること
を特徴とする投影装置。
【請求項６】
請求項１〜５の何れかに記載の投影装置において、
第２バリエーションの個別減光ライトマイクロ光学系の少なくとも透光性のウインドウ（Ｆ）は完全に透光性であること
を特徴とする投影装置。
【請求項７】
請求項１〜５の何れかに記載の投影装置において、
第２バリエーションの個別減光ライトマイクロ光学系の透光性のウインドウ（Ｆ）は部分的にのみ透光性であること
を特徴とする投影装置。
【請求項８】
請求項１〜７の何れかに記載の投影装置において、
少なくとも１つの絞り装置はガラス製の支持体（５）に結合していること
を特徴とする投影装置。
【請求項９】
請求項１３に記載の投影装置において、
入射光学系（３）も出射光学系（４）も、当該入射光学系（３）と当該出射光学系（４）との間に配置された絞り装置の少なくとも１つの支持体（５）に固定的に結合されていること
を特徴とする投影装置。
【請求項１０】
請求項１４に記載の投影装置において、
入射光学系（３）及び出射光学系（４）と少なくとも１つの支持体（５）との固定的結合は夫々透明な接着結合として形成されていること
を特徴とする投影装置。
【請求項１１】
少なくとも１つの請求項１〜１０の何れかに記載の投影装置（１）と、該投影装置（１）に光を供給するための少なくとも１つの光源（２）とを含む、自動車両用投光装置のためのマイクロ投影ライトモジュール。
【請求項１２】
少なくとも１つの請求項１１に記載のマイクロ投影ライトモジュールを含む車両用投光装置、とりわけ自動車両用投光装置。
【発明の詳細な説明】
【技術分野】
【０００１】
本発明は、自動車両用投光装置のための投影装置であって、
投影装置は、当該投影装置に割り当てられた少なくとも１つの光源の光を自動車両の前方の領域に少なくとも１つの光分布、即ち減光ライト光分布の形で結像するよう構成されており、
投影装置は、
・好ましくはアレイに配置されたマイクロ入射光学系の全数を有する入射光学系、
・好ましくはアレイに配置されたマイクロ出射光学系の全数を有する出射光学系
を含み、
各マイクロ入射光学系には丁度１つのマイクロ出射光学系が割り当てられており、
マイクロ入射光学系から出射する実質的にすべての光がそれに割り当てられたマイクロ出射光学系にのみ入射するよう、マイクロ入射光学系は構成されており及び／又はマイクロ入射光学系とマイクロ出射光学系は互いに対し配置されており、
マイクロ入射光学系によって予成形された光はマイクロ出射光学系によって自動車両の前方の領域に少なくとも１つの光分布として結像され、
各マイクロ入射光学系はそれ自身を通過した光を少なくとも１つのマイクロ出射光学系焦点に合焦し、該マイクロ出射光学系焦点はマイクロ入射光学系とそれに割り当てられたマイクロ出射光学系との間に位置し、マイクロ入射光学系とマイクロ出射光学系の間には少なくとも１つの絞り装置が配置されており、
少なくともマイクロ入射光学系とこれに割り当てられたマイクロ出射光学系とこれらの間に位置する少なくとも１つの絞り装置とによって夫々１つの減光ライト（ロービーム）マイクロ光学系が構成され、
少なくとも１つの絞り装置は、夫々のマイクロ出射光学系によって放射される光分布が減光ライト光分布の一部分を構成するように、夫々のマイクロ出射光学系によって結像される光分布を制限（画成：Begrenzung）するよう、構成されており、このために、絞り装置は、減光ライト光分布の明暗境界の推移（境界線）を結像（形成）する少なくとも１つの光学的に作用する絞りエッジ（光学的作用絞りエッジ）を有する、投影装置に関する。
【０００２】
本発明は、更に、少なくとも１つの本発明の投影装置と、該投影装置に光を供給するための少なくとも１つの光源とを含む、自動車両用投光装置のためのマイクロ投影ライトモジュールに関する。
【０００３】
本発明は、更に、少なくとも１つの本発明のマイクロ投影ライトモジュールを含む車両用投光装置、とりわけ自動車両用投光装置に関する。
【背景技術】
【０００４】
従来技術から、例えば冒頭に記載したタイプの投影装置を記載する文献ＡＴ５１４９６７Ｂ１が既知になっている。該文献には、複数のマイクロ入射光学系と複数のマイクロ出射光学系を有し、該マイクロ入射光学系と該マイクロ出射光学系の間に絞り装置が配置されている、投影装置が記載されている。投影システムでは、所望の光分布に応じて（とりわけ減光ライト（ロービーム）光分布の場合）、光分布は焦点面においてビーム絞りによって切除される（絞られる）。この場合、減光ライト光分布では、対向車の眩惑を阻止するために、明暗境界の上側の光は吸収又は反射される。しかしながら、光の小部分は、散乱光（迷光：Streulicht）（サインライト：Signlight）に関する法令上の条件を満たすために、明暗境界の上側に目標を定めて（適切に）偏向される必要がある。
【先行技術文献】
【特許文献】
【０００５】
【特許文献１】ＡＴ５１４９６７Ｂ１
【発明の概要】
【発明が解決しようとする課題】
【０００６】
散乱光（迷光）条件は、従来は、通常、光分布を結像するレンズ上のプリズムによって満たされる。しかしながら、これは、マイクロ投影システムの場合、サブミリメートル領域にまで小型化されるため、従って、同時に表れる許容差に対する大きな要求のため、困難であることが判明した。
【０００７】
本発明の課題は従来技術の上記の欠点を解決することである。
【課題を解決するための手段】
【０００８】
この課題は冒頭に記載したタイプの投影装置によって解決される。該投影装置においては、本発明の一視点に応じ、減光ライトマイクロ光学系の全数は少なくとも２つのグループの減光ライトマイクロ光学系、即ち、
・少なくとも第１バリエーションの絞り装置を備えた第１グループの減光ライトマイクロ光学系、及び、
・少なくとも第２バリエーションの絞り装置を備えた第２グループの減光ライトマイクロ光学系
を含み、
第２バリエーションの絞り装置に、絞りエッジにまで形成された絞り装置の遮光領域の内部に明暗境界の上側に位置する光分布を結像するための少なくとも部分的に透光性の少なくとも１つのウインドウが形成されていることによって、第２バリエーションの絞り装置の形状（形態：Ausgestaltung）は少なくともその点に関し第１バリエーションの絞り装置の形状（形態）と相違している。
【発明を実施するための形態】
【０００９】
本発明に応じて設けられる透光性ウインドウによって、光は、例えば道路標識板の照明のために設けられた散乱領域（Streubereich）へ導かれることができ、この領域における照明の強度は、適切な数及び形状のウインドウないし第２バリエーションの絞り装置を選択することによって達成（決定）することができる。
【００１０】
光学的作用絞りエッジとは、光分布を制限（画成）するために光分布の結像に関与（作用）する絞りエッジとして理解されるものである。
【００１１】
「・・・出射する実質的にすべての光」という文言は、１つのマイクロ入射光学系から出射する全光流の少なくとも大部分を当該マイクロ入射光学系に割り当てられたマイクロ出射光学系のみに入射させることを志向している（目指している）ことを意味する。とりわけ、眩惑を引き起こし得る迷光等のような不利な光学的効果（作用）を引き起こす方法で隣接するマイクロ出射光学系に光流（光ビーム）を入射させないことを志向することができる。
【００１２】
更に、「マイクロ入射光学系は構成されており及び／又はマイクロ入射光学系とマイクロ出射光学系は互いに対し配置されており」という文言は、全光流が割り当てられたマイクロ出射光学系に正確に指向される機能のみを有するか又はその本来的機能に加えて当該機能をも有する例えば絞り（以下参照）のような付加的措置（手段）を備えることができるというようにも、理解されることができる。
【００１３】
従来の投影システムの場合のようなただ１つの光学系の代わりに（相互に）割り当てられる複数の、多数のマイクロ光学系を使用することによって、マイクロ光学系自体の焦点距離もサイズも「従来の」光学系の場合よりも顕著により小さくなる。同様に、従来の光学系と比べて中心厚みも減少されることができる。このため、投影装置の構造深さ（奥行き）は従来の光学系と比べて顕著に減少されることができる。
【００１４】
マイクロ光学系システムの数を増やすことによって、一方では、光流は増大又はスケール変更されることができ、この場合、マイクロ光学系システムの数の上限は、なかんずく、その都度利用可能な製造方法によって制限される。減光ライト機能を生成するためには、例えば２００〜４００のマイクロ光学系システムで十分ないしは好都合であり得る。なお、上限と下限をこれらの数値に限定することは意図しておらず、これらは単なる数値の例に過ぎない。光流を増大するためには、同種の（同質の）マイクロ光学系の数を増大することが好都合である。反対に、複数の異なる光分布を生成又は重ね合わせるために、異なる光学的挙動（性質）を有する複数（種類）のマイクロ光学系を１つの投影システムに導入する（組み込む）よう、多数のマイクロ光学系を使用することもできる。従って、多数のマイクロ光学系は、従来の光学系にはなかった多様な形状の可能性も可能にする。
【００１５】
そのようなライトモジュールは、更に、スケール変更可能である。即ち、同一構造の又は類似的に構成された複数の光モジュールは１つのより大きな全体システムに、例えば車両投光装置（自動車前照灯等）に統合されることができる。
【００１６】
１つの投影レンズを備えた従来の投影システムでは、該レンズは６０ｍｍ〜９０ｍｍの典型的な直径を有する。本発明のモジュールでは、個別マイクロ光学系システムは（垂直方向Ｖ及び水平方向Ｈが）凡そ２ｍｍ×２ｍｍの典型的サイズと（Ｚが）凡そ６ｍｍ〜１０ｍｍの深さ（奥行）を有し（例えば図１参照）、そのため、Ｚ方向において、本発明のモジュールは、従来のモジュールと比べて、顕著により小さい深さ（奥行）を有する。
【００１７】
本発明のライトモジュールないし投影装置は、小さな構造深さを有することができ、かつ、原理的に、自由に構成（形状形成）可能である。即ち、例えば、第１部分光分布を生成するための第１ライトモジュールを第２部分光分布のための第２ライトモジュールから分離されるよう構成すること、これらを相対的に自由に、即ち垂直及び／又は水平及び／又は深さ（奥行）に関し互いに対しずらして配置することができ、そのため、設計仕様（設定）もより容易に実現することができる。
【００１８】
本発明のライトモジュールないし投影装置の更なる一利点は、投影装置に関する（１つ又は複数の）光源の正確な位置決めは考慮されない（行われない）ことである。正確な位置決めは、マイクロレンズアレイに対する照明ユニットの距離は正確である必要はないという限りで、重要性がより小さい。マイクロ入射光学系とマイクロ出射光学系が、これらはほぼ１つのシステムを形成するため、一旦既に互いに対し適切に調整されることによって、実際の（１つ又は複数の）光源の正確でない位置決めは重要性がより小さくなる。実際の光源とは、例えば、複合放物面型集光器（Compound Parabolic Concentrator：ＣＰＣ）又はＴＩＲ（全内反射型：Total Inner Reflection）レンズのようなコリメータによってその光が平行に揃えられる（平行光線化される）例えば発光ダイオードのようなほぼ点状の光源である。
【００１９】
投影装置ないしライトモジュールは、減光ライト（ロービーム）光分布とは異なるタイプの光分布を生成するために使用される付加的なマイクロ光学系システムを含むこともできる。ここで、「所定のタイプ」の光分布とは、関連基準（規格）に応じて生成される光分布、例えばＥＵ諸国におけるＵＮ／ＥＣＥ規則の、とりわけ規則１２３及び４８の基準（規格）又は他の国又は地域の関連基準（規格）に応じた光分布として理解されるものである。
【００２０】
概念「走行路（ないし道路）」は、以下においては、説明の単純化のためにのみ使用されている。というのは、光像が実際に走行路上に存在するか又は更には路面を超えてその上方に延在するかは、場所的状態に依存することは明らかであるからである。例えば、放射される光分布を試験するために、光像は関連基準に応じた垂直面に投影される。ここでいう関連基準とは、例えば、国際連合欧州経済委員会（ＵＮ／ＥＣＥ）規則第１２３号及び第４８号の「自動車用配光可変型前照灯システム（ＡＦＳ）の認可に関する統一規定」及び「灯火器及び指示装置の取付装置に係る協定規則に係る車両の認可に関する統一規定」、連邦規則集ＣＦＲのタイトル４９：運輸、チャプタＶ、パート５７１−連邦自動車基準、サブパートＢに§５７１．１０８として規定されているアメリカ合衆国において適用される連邦自動車安全基準ＦＭＶＳＳ第１０８号「ランプ類、反射器、及び関連装置」、及び、自動車照明技術に関連する中華人民共和国の国家基準ＧＢ／Ｔ３００３６／２０１３「自動車用配向可変型前照灯システム」である。
【００２１】
とりわけ、そのような照明装置には、異なる複数の光分布を生成するための２つ以上のグループが設けられ、各グループが、例えば以下の光分布の１つから選択される異なる光分布を形成することは好都合に可能である：
＊）ターンライト（Abbiegelicht）用光分布；
＊）市街地ライト（Stadtlicht）用光分布；
＊）地方道（ないし一般道）ライト（Landstrassenlicht）用光分布；
＊）アウトバーンライト用光分布；
＊）アウトバーンライトの補助ライト用光分布；
＊）コーナリングライト（Kurvenlicht）用光分布；
＊）減光ライト（ロービーム）・近フィールド（Vorfeld）用光分布；
＊）遠方フィールド（Fernfeld）における非対称減光ライト（ロービーム）用光分布；
＊）コーナリングモードの場合の遠方フィールドにおける非対称減光ライト（ロービーム）用光分布；
＊）遠方ライト（ハイビーム）用光分布；
＊）アンチグレア遠方ライト（ハイビーム）用光分布。
【００２２】
そのような光分布の例はとりわけ文献ＡＴ ５１４９６７ Ｂ１に見出すことができる。
【００２３】
とりわけ、第２バリエーションの個別減光ライトマイクロ光学系は、明暗境界の上側に位置する光分布が明暗境界から０．５°〜２°の垂直方向角度をなして離隔されるよう構成されることができる。第２バリエーションのすべての減光ライトマイクロ光学系がこのように構成されることも可能であろう（従って「個別」とは個々の要素に着目した概念であり、個々の要素の総体としての「すべての要素」と同義ではない）。
【００２４】
同様に、第２バリエーションの個別（又はすべての）減光ライトマイクロ光学系は、明暗境界の上側に位置する光分布が１０°〜５０°の水平角度領域にわたって及び２°〜１０°の垂直角度領域にわたって延在するよう構成されることができる。
【００２５】
有利には、第２バリエーションの個別減光ライトマイクロ光学系の少なくとも部分的に透光性のウインドウは実質的に矩形の形状を有することができる。ウインドウの上側エッジの推移は、当該推移が絞り装置の光学的に作用するエッジ（光学的作用エッジ）に対し平行に推移する即ち明暗境界に対し平行に形成されるようにして、僅かに逸れる（ずらされる）ことができる。
【００２６】
代替的に、第２バリエーションの個別減光ライトマイクロ光学系の少なくとも部分的に透光性のウインドウはＵ字状に形成されることができる。
【００２７】
個別絞り装置の異なる形状の透光性ウインドウが互いに重ね合わされることもでき、それによって、サインライト（ないし標識ライト）の光分布が目標を定めて適合化されること―例えば一様化されること―ができる。
【００２８】
かくして、第２バリエーションの個別減光ライトマイクロ光学系の少なくとも透光性のウインドウは完全に透光性であるか、又は、部分的にのみ透光性であることが可能である。個別減光ライトマイクロ光学系ないし夫々が属する（割り当てられている）絞り装置のウインドウ（複数）はそれらの形状及び／又は透光性が互いに異なることも可能である。かくして、例えば、個別（個々の）ウインドウ（複数）は重ね合わされるが、それらのサイズが互いに異なることも可能である。従って、これらのウインドウは、互いにフォトメトリックに（photometrisch）に重ね合わされる領域の暗化（ないし遮光：Abschattung）に役立つ。
【００２９】
更に、少なくとも１つの絞り装置は支持体に結合されることができ、支持体はガラスで形成されることができる。更に、入射光学系も出射光学系も、当該入射光学系と当該出射光学系との間に配置された絞り装置の少なくとも１つの支持体に固定的に結合されることができる。かくして、例えば熱膨張に起因する、不所望の影響は最小化されることができ、出射光学系に対する入射光学系のないしは入射光学系に対する出射光学系の持続的かつ正確な位置決めが保証されることができる。更に、有利には、入射光学系及び出射光学系と少なくとも１つの支持体との固定的結合は夫々透明な接着結合（透明な接着剤による結合）として形成されることができる。
【００３０】
本発明は、更に、少なくとも１つの本発明の投影装置と、該投影装置に光を供給するための少なくとも１つの光源とを含む、自動車両用投光装置のためのマイクロ投影ライトモジュールに関する。有利には、各減光ライトマイクロモジュールには１つのＬＥＤ光源が割り当てられている。
【００３１】
更に、本発明は、少なくとも１つの本発明のマイクロ投影ライトモジュールを含む車両用投光装置、とりわけ自動車両用投光装置（自動車前照灯等）に関する。
【００３２】
更に、本発明は、少なくとも１つの本発明の車両用投光装置を含む車両、とりわけ自動車両（自動車等）に関する。
【００３３】
本発明のすべての実施形態ないし実施例は近フィールド（ないし前方フィールド：Vorfeld）用光分布の生成との関連で設けられることも全般的に可能である。
【００３４】
本発明は、以下において、図面に示されている例示的かつ非限定的な実施形態ないし実施例を用いて詳細に説明される。
【図面の簡単な説明】
【００３５】
【図１】１つの例示的投影装置の模式図。
【図２】マイクロ入射光学系及びマイクロ出射光学系が結合可能な透明支持体上に絞り装置を配設するための方法の一例の概略的説明図（（図２ａ）〜（図２ｄ））。
【図３】絞り装置の複数の異なる形状ないし形態（Ausgestaltungen）の例。
【図４】本発明の一実施形態ないし実施例による互いに隣り合うよう列に並べられた複数の絞り装置の一構造例の断面（図４ａ）；図４ａの構造によって生成される光分布の一例（図４ｂ）。
【図５】本発明の更なる一実施形態ないし実施例による互いに隣り合うよう列に並べられた複数の絞り装置の一構造例の断面（図５ａ）；図５ａの構造によって生成される光分布の一例（図５ｂ）。
【実施例】
【００３６】
以下の図面（に示された実施形態ないし実施例）の説明において―別段の定めがない限り―同じ参照符号は同じ特徴に関する。
【００３７】
図１はマイクロ投影ライトモジュール６の一例における例示的な投影装置１の模式図であり、投影装置１は―以下に説明されるように―本発明に応じて構成された複数の絞り装置を備えて構成されることができる。そのようにして構成された本発明の投影装置１は自動車両用投光装置（自動車前照灯等）における使用に適合化されており、投影装置１は、当該投影装置１に割り当てられた少なくとも１つの光源２（但し、各マイクロ入射光学系３ａに１つの個別に制御可能な光源、とりわけ好ましくはＬＥＤが割り当てられると有利である）の光を自動車両の前方の領域に少なくとも１つの光分布の形で、具体的には減光ライト（ロービーム）用光分布の形で結像するよう構成されている。光源２によって放射された光は例えばコリメータ７を介して入射光学系３へ導かれることができる。投影装置１は、有利にはアレイ（状）に配置されたマイクロ入射光学系３ａの全数（すべてのマイクロ入射光学系３ａ）を有する入射光学系３と、有利にはアレイ（状）に配置されたマイクロ出射光学系４ａの全数（すべてのマイクロ出射光学系４ａ）を有する出射光学系４とを含み、各マイクロ入射光学系３ａには丁度１つのマイクロ出射光学系４ａが割り当てられている。
【００３８】
マイクロ入射光学系３ａから出射する実質的にすべての光がそれに割り当てられたマイクロ出射光学系４ａにのみ入射するよう、マイクロ入射光学系（複数）３ａは構成されており及び／又はマイクロ入射光学系（複数）３ａとマイクロ出射光学系（複数）４ａは互いに対し配置されており、マイクロ入射光学系３ａによって予成形された光はマイクロ出射光学系４ａによって自動車両の前方の領域へ少なくとも１つの光分布として結像される。各マイクロ入射光学系３ａは、当該マイクロ入射光学系３ａがそれ自身を通過する光を少なくとも１つのマイクロ入射光学系焦点に合焦するよう構成されており、マイクロ入射光学系焦点はマイクロ入射光学系３ａとそれに割り当てられたマイクロ出射光学系４ａとの間に位置しており、マイクロ入射光学系３ａとマイクロ出射光学系４ａの間には、少なくとも１つの絞り装置８ａ（図３参照）が配されており、夫々少なくともマイクロ入射光学系３ａとそれに割り当てられたマイクロ出射光学系４ａとこれらの間に位置する少なくとも１つの絞り装置８ａとによって１つの減光ライトマイクロ光学系が構成される。
【００３９】
少なくとも１つの絞り装置８ａは、マイクロ出射光学系４ａによって放射される光分布が減光ライト光分布の一部分を構成するように、夫々のマイクロ出射光学系４ａによって結像される光分布を制限（画成）するよう構成されており、絞り装置８ａは、そのために、減光ライト光分布の明暗境界の推移を結像する少なくとも１つの光学的に作用する絞りエッジ（光学的作用絞りエッジ）Ｋ（図４ａ、図５ａ及び図６ａ参照）を有する。
【００４０】
減光ライトマイクロ光学系の全数は少なくとも２つのグループの減光ライトマイクロ光学系、具体的には、
・少なくとも１つの第１バリエーションの絞り装置８ａ’（図３ａ参照）を備えた第１グループの減光ライトマイクロ光学系、及び、
・少なくとも１つの第２バリエーションの絞り装置８ａ’’（図３ｂ又は図３ｃ参照）を備えた第２グループの減光ライトマイクロ光学系
を含み、
絞り装置８ａ’’に、絞りエッジＫにまで形成された絞り装置８ａ’’の遮光（シャドー形成）領域Ｄ（図３ｂ及び図３ｃ参照）の内部に明暗境界の上側に位置する光分布Ｌsignを結像するための少なくとも部分的に透光性の少なくとも１つのウインドウＦが形成されていることによって、第２バリエーションの絞り装置８ａ’’の形状（形態）は少なくともその点に関し第１バリエーションの絞り装置８ａ’の形状（形態）と相違している。
【００４１】
図２（ａ）〜図２（ｄ）は自動車両用投光装置のための本発明の投影装置１の製造方法の一例の各ステップを模式的に示し、投影装置１は、当該投影装置１に割り当てられた少なくとも１つの光源２の光を自動車両の前方の領域に少なくとも１つの光分布の形で結像するよう構成されている。図２（ａ）は、図２（ｂ）において第１絞り装置８ａが例えばスクリーン印刷又は金属蒸着によって配される第１フラット面５ａを有する支持体５の一例を示し、支持体５は少なくとも部分的にガラスからなる。図２（ｃ）は該方法の次のステップｂ）、即ち有利にはアレイ（状）に配置される複数のマイクロ入射光学系３ａを有する入射光学系３の、支持体５の第１フラット面５ａにおける固定（結合）を示す。入射光学系３は、第１絞り装置８ａを少なくとも部分的にカバーし、かつ、光が入射光学系３を介し第１絞り装置８ａを通過して少なくとも部分的に支持体５内に侵入できるよう配置され、支持体５の第１フラット面５ａにおける入射光学系３の固定（結合）は透光性接着物質によって行われる。図２（ｄ）は、入射光学系３が支持体５に既に固定的に結合されている状態を示す。次に、ステップｃ）に応じ、第１フラット面５ａの反対側に位置する支持体５のフラット面（対向面）５ｂに―例えば散乱光（迷光：Streulicht）を回避するための―第２絞り装置が配される。最後に、出射光学系４を支持体５の対向面に配することができる。
【００４２】
図３ａ、３ｂ及び３ｃは異なる形状（形態）の絞り装置の例を示す。図３ａは、本書において第１バリエーションの絞り装置８ａ’と称される従来の絞り装置８ａ’に関する。図３ｂ及び３ｃは、光を明暗境界の上側に位置する領域へ導くよう構成された夫々透光性のウインドウＦを有する第２バリエーションの絞り装置８ａ’’に関する。これらのウインドウが本絞り装置に明暗境界を生成するための光学的作用絞りエッジの下側に設けられるという構成（ないし事実：Tatsache）は、光像が本実施形態においてなおも後続のビーム路において水平軸の周りで１８０°回転されることに基づいてなされている。
【００４３】
図４ａは本発明の一実施形態による互いに隣り合うよう列に並べられた複数の絞り装置８ａ’及び８ａ’’の一構造例の断面を示す。第２バリエーションの絞り装置８ａ’’の適切な形状形成及び個数の適切な選択によって、明暗境界の上側に結像されるべき光分布は目的通りに（適切に）予め与えられる（予め設定される）ことができる。図４ｂは、図４ａの構造例によって生成された光分布を示し、明暗境界の上側に存在する光分布Ｌsignが明確に示されている。光分布の内部における明るさは、同じ照度（照明強度）の領域を表す等値線によって表されている。本図においては、照度は、明暗境界の下側すれすれのところで最大値を取り、外側に向かって減少する。明暗境界の推移及びその上側に配されている付加的光分布Ｌsignの推移は同図において明確に認識できる。
【００４４】
図５ａは本発明の更なる一実施形態による互いに隣り合うよう列に並べられた複数の絞り装置８ａ’及び８ａ’’の一構造例の断面を示す。この場合、第２バリエーションの個々の絞り装置８ａ’’の幾何学的形状は目的通りに（適切に）変更されており、そのため、それによって生成される光分布Ｌsign（図５ｂ参照）の内部の明るさは一様化される。
【００４５】
本発明の投影システムでは、数１０〜数１０００個の小型化されたマイクロ光学系が並べられて１つのアレイを構成することができる。このアレイは（有利にはコリメータによる）可及的に平行な光で照明される。個々の光分布が重ね合わさって所望の全体光分布になる。
【００４６】
絞り装置８ａ’及び８ａ’’は例えばリソグラフィにより製造されることができる。
【００４７】
原理的に、ウインドウＦの他の輪郭も可能である。複数の異なる処理ステップを使用することによって、ウインドウＦの透過率（透過度）を部分的に修正することも可能であり、かくして、部分領域（複数）はそれに依存してより強く吸収性に又はより強く透過性（透光性）に構成されることができる。図５ａによる上記の例では、ウインドウ（複数）Ｆのほぼ３／４は部分的に閉鎖されることができる。これは、すべての貫通部における閉鎖されるべき領域が２５％の透過率を有する（よう構成される）ことによっても、達成（実現）されることができる。このようにして、ビーム絞りのサインライトのために望まれる位置における透過率を変化することによっても、サインライトは生成されることができる。
【００４８】
本教示を考慮することにより、当業者であれば、発明活動無しで（創作能力を発揮することなく）本発明の不図示の他の実施形態（複数）に到達（想到）することができる。本発明は、従って、図示の実施形態ないし実施例に限定されない。更に、本発明ないし実施形態（複数）の各視点（特徴）は個別の選択及び相互の組み合わせが可能である。重要であるのは、本書の内容を知った当業者によって多様に展開可能であるが、それ自体は不変に維持される本発明の基礎をなす技術的思想である。
【００４９】
【符号の説明】
【００５０】
１        投影装置
２        光源
３        入射光学系
３ａ      マイクロ入射光学系
４        出射光学系
４ａ      マイクロ出射光学系
５        支持体
５ａ      フラット面
７        コリメータ
８ａ’    第１バリエーションの絞り装置
８ａ’’  第２バリエーションの絞り装置
Ｄ        遮光領域
Ｆ        ウインドウ
Ｋ        絞りエッジ
Ｌsign     明暗境界の上側に位置する（付加的）光分布
【図１】
2021506066.tif 000003
【図２（ａ）】
2021506066.tif 000004
【図２（ｂ）】
2021506066.tif 000005
【図２（ｃ）】
2021506066.tif 000006
【図２（ｄ）】
2021506066.tif 000007
【図３ａ】
2021506066.tif 000008
【図３ｂ】
2021506066.tif 000009
【図３ｃ】
2021506066.tif 000010
【図４ａ】
2021506066.tif 000011
【図４ｂ】
2021506066.tif 000012
【図５ａ】
2021506066.tif 000013
【図５ｂ】
2021506066.tif 000014
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
自動車両用投光装置のための投影装置であって、
投影装置（１）は、当該投影装置（１）に割り当てられた少なくとも１つの光源（２）の光を自動車両の前方の領域に減光ライト光分布を含む少なくとも１つの光分布の形で結像するよう構成されており、
投影装置（１）は、
・マイクロ入射光学系（３ａ）の全数を有する入射光学系（３）、
・マイクロ出射光学系（４ａ）の全数を有する出射光学系（４）
を含み、
各マイクロ入射光学系（３ａ）には丁度１つのマイクロ出射光学系（４ａ）が割り当てられており、
マイクロ入射光学系（３ａ）から出射する実質的にすべての光がそれに割り当てられたマイクロ出射光学系（４ａ）にのみ入射するよう、マイクロ入射光学系（３ａ）は構成されており及び／又はマイクロ入射光学系（３ａ）とマイクロ出射光学系（４ａ）は互いに対し配置されており、
マイクロ入射光学系（３ａ）によって予成形された光はマイクロ出射光学系（４ａ）によって自動車両の前方の領域に少なくとも１つの光分布として結像され、
各マイクロ入射光学系（３ａ）はそれ自身を通過した光を少なくとも１つのマイクロ出射光学系焦点に合焦し、該マイクロ出射光学系焦点はマイクロ入射光学系（３ａ）とそれに割り当てられたマイクロ出射光学系（４ａ）との間に位置し、マイクロ入射光学系（３ａ）とマイクロ出射光学系（４ａ）の間には少なくとも１つの絞り装置（８ａ’、８ａ’’）が配置されており、
少なくともマイクロ入射光学系（３ａ）とこれに割り当てられたマイクロ出射光学系（４ａ）とこれらの間に位置する少なくとも１つの絞り装置（８ａ’、８ａ’’）とによって夫々１つの減光ライトマイクロ光学系が構成され、
少なくとも１つの絞り装置（８ａ’、８ａ’’）は、夫々のマイクロ出射光学系（４ａ）によって放射される光分布が減光ライト光分布の一部分を構成するように、夫々のマイクロ出射光学系（４ａ）によって結像される光分布を制限するよう構成されており、このために、絞り装置（８ａ’、８ａ’’）は、減光ライト光分布の明暗境界の推移を結像する少なくとも１つの光学的作用絞りエッジ（Ｋ）を有し、
減光ライトマイクロ光学系の全数は少なくとも２つのグループの減光ライトマイクロ光学系、即ち、
・少なくとも第１バリエーションの絞り装置（８ａ’）を備えた第１グループの減光ライトマイクロ光学系、及び、
・少なくとも第２バリエーションの絞り装置（８ａ’’）を備えた第２グループの減光ライトマイクロ光学系
を含み、
第２バリエーションの絞り装置（８ａ’’）に、絞りエッジ（Ｋ）にまで形成された絞り装置の遮光領域（Ｄ）の内部に明暗境界の上側に位置する光分布（Ｌsign）を結像するための少なくとも部分的に透光性の少なくとも１つのウインドウ（Ｆ）が形成されていることによって、第２バリエーションの絞り装置（８ａ’’）の形状は少なくともその点に関し第１バリエーションの絞り装置（８ａ’）の形状と相違していること
を特徴とする投影装置。
【請求項２】
請求項１に記載の投影装置において、
マイクロ入射光学系（３ａ）の全数はアレイに配置されていること、及び、
マイクロ出射光学系（４ａ）の全数はアレイに配置されていること
を特徴とする投影装置。
【請求項３】
請求項１又は２に記載の投影装置において、
第２バリエーションの個別絞り装置（８ａ’’）は、明暗境界の上側に位置する光分布（Ｌsign）が明暗境界から０．５°〜２°の垂直方向角度をなして離隔されるよう構成されていること
を特徴とする投影装置。
【請求項４】
請求項１〜３の何れかに記載の投影装置において、
第２バリエーションの個別絞り装置（８ａ’’）は、明暗境界の上側に位置する光分布（Ｌsign）が１０°〜５０°の水平角度領域にわたって及び２°〜１０°の垂直角度領域にわたって延在するよう構成されていること
を特徴とする投影装置。
【請求項５】
請求項１〜４の何れかに記載の投影装置において、
第２バリエーションの個別絞り装置（８ａ’’）の少なくとも部分的に透光性のウインドウ（Ｆ）は実質的に矩形の形状を有すること
を特徴とする投影装置。
【請求項６】
請求項１〜４の何れかに記載の投影装置において、
第２バリエーションの個別絞り装置（８ａ’’）の少なくとも部分的に透光性のウインドウ（Ｆ）はＵ字状に形成されていること
を特徴とする投影装置。
【請求項７】
請求項１〜６の何れかに記載の投影装置において、
第２バリエーションの個別絞り装置（８ａ’’）の少なくとも部分的に透光性のウインドウ（Ｆ）は完全に透光性であること
を特徴とする投影装置。
【請求項８】
請求項１〜６の何れかに記載の投影装置において、
第２バリエーションの個別絞り装置（８ａ’’）の少なくとも部分的に透光性のウインドウ（Ｆ）は部分的にのみ透光性であること
を特徴とする投影装置。
【請求項９】
請求項１〜８の何れかに記載の投影装置において、
少なくとも１つの絞り装置はガラス製の支持体（５）に結合していること
を特徴とする投影装置。
【請求項１０】
請求項９に記載の投影装置において、
入射光学系（３）も出射光学系（４）も、当該入射光学系（３）と当該出射光学系（４）との間に配置された絞り装置の少なくとも１つの支持体（５）に固定的に結合されていること
を特徴とする投影装置。
【請求項１１】
請求項９又は１０に記載の投影装置において、
入射光学系（３）及び出射光学系（４）と少なくとも１つの支持体（５）との固定的結合は夫々透明な接着結合として形成されていること
を特徴とする投影装置。
【請求項１２】
少なくとも１つの請求項１〜１１の何れかに記載の投影装置（１）と、該投影装置（１）に光を供給するための少なくとも１つの光源（２）とを含む、自動車両用投光装置のためのマイクロ投影ライトモジュール。
【請求項１３】
少なくとも１つの請求項１２に記載のマイクロ投影ライトモジュールを含む車両用投光装置ないし自動車両用投光装置。
【手続補正２】
【補正対象書類名】明細書
【補正対象項目名】０００８
【補正方法】変更
【補正の内容】
【０００８】
この課題は冒頭に記載したタイプの投影装置によって解決される。即ち、本発明の一視点により、自動車両用投光装置のための投影装置であって、
投影装置は、当該投影装置に割り当てられた少なくとも１つの光源の光を自動車両の前方の領域に減光ライト光分布を含む少なくとも１つの光分布の形で結像するよう構成されており、
投影装置は、
・マイクロ入射光学系の全数を有する入射光学系、
・マイクロ出射光学系の全数を有する出射光学系
を含み、
各マイクロ入射光学系には丁度１つのマイクロ出射光学系が割り当てられており、
マイクロ入射光学系から出射する実質的にすべての光がそれに割り当てられたマイクロ出射光学系にのみ入射するよう、マイクロ入射光学系は構成されており及び／又はマイクロ入射光学系とマイクロ出射光学系は互いに対し配置されており、
マイクロ入射光学系によって予成形された光はマイクロ出射光学系によって自動車両の前方の領域に少なくとも１つの光分布として結像され、
各マイクロ入射光学系はそれ自身を通過した光を少なくとも１つのマイクロ出射光学系焦点に合焦し、該マイクロ出射光学系焦点はマイクロ入射光学系とそれに割り当てられたマイクロ出射光学系との間に位置し、マイクロ入射光学系とマイクロ出射光学系の間には少なくとも１つの絞り装置が配置されており、
少なくともマイクロ入射光学系とこれに割り当てられたマイクロ出射光学系とこれらの間に位置する少なくとも１つの絞り装置とによって夫々１つの減光ライト（ロービーム）マイクロ光学系が構成され、
少なくとも１つの絞り装置は、夫々のマイクロ出射光学系によって放射される光分布が減光ライト光分布の一部分を構成するように、夫々のマイクロ出射光学系によって結像される光分布を制限（画成：Begrenzung）するよう、構成されており、このために、絞り装置は、減光ライト光分布の明暗境界の推移（境界線）を結像（形成）する少なくとも１つの光学的に作用する絞りエッジ（光学的作用絞りエッジ）を有する、投影装置が提供される。
該投影装置においては、本発明の一視点に応じ、減光ライトマイクロ光学系の全数は少なくとも２つのグループの減光ライトマイクロ光学系、即ち、
・少なくとも第１バリエーションの絞り装置を備えた第１グループの減光ライトマイクロ光学系、及び、
・少なくとも第２バリエーションの絞り装置を備えた第２グループの減光ライトマイクロ光学系
を含み、
第２バリエーションの絞り装置に、絞りエッジにまで形成された絞り装置の遮光領域の内部に明暗境界の上側に位置する光分布を結像するための少なくとも部分的に透光性の少なくとも１つのウインドウが形成されていることによって、第２バリエーションの絞り装置の形状（形態：Ausgestaltung）は少なくともその点に関し第１バリエーションの絞り装置の形状（形態）と相違している。
【手続補正３】
【補正対象書類名】明細書
【補正対象項目名】００３４
【補正方法】変更
【補正の内容】
【００３４】
ここに、本発明の好ましい形態を示す。
（形態１）上記本発明の一視点参照。
（形態２）形態１の投影装置において、
マイクロ入射光学系の全数はアレイに配置されていること、及び、
マイクロ出射光学系の全数はアレイに配置されていることが好ましい。
（形態３）形態１又は２の投影装置において、第２バリエーションの個別絞り装置は、明暗境界の上側に位置する光分布が明暗境界から０．５°〜２°の垂直方向角度をなして離隔されるよう構成されていることが好ましい。
（形態４）形態１〜３の何れかの投影装置において、第２バリエーションの個別絞り装置は、明暗境界の上側に位置する光分布が１０°〜５０°の水平角度領域にわたって及び２°〜１０°の垂直角度領域にわたって延在するよう構成されていることが好ましい。
（形態５）形態１〜４の何れかの投影装置において、第２バリエーションの個別絞り装置の少なくとも部分的に透光性のウインドウは実質的に矩形の形状を有することが好ましい。
（形態６）形態１〜４の何れかの投影装置において、第２バリエーションの個別絞り装置の少なくとも部分的に透光性のウインドウはＵ字状に形成されていることが好ましい。
（形態７）形態１〜６の何れかの投影装置において、第２バリエーションの個別絞り装置の少なくとも部分的に透光性のウインドウは完全に透光性であることが好ましい。
（形態８）形態１〜６の何れかの投影装置において、第２バリエーションの個別絞り装置の少なくとも部分的に透光性のウインドウは部分的にのみ透光性であることが好ましい。
（形態９）形態１〜８の何れかの投影装置において、少なくとも１つの絞り装置はガラス製の支持体に結合していることが好ましい。
（形態１０）形態９に記載の投影装置において、入射光学系も出射光学系も、当該入射光学系と当該出射光学系との間に配置された絞り装置の少なくとも１つの支持体に固定的に結合されていることが好ましい。
（形態１１）形態９又は１０の投影装置において、入射光学系及び出射光学系と少なくとも１つの支持体との固定的結合は夫々透明な接着結合として形成されていることが好ましい。
（形態１２）少なくとも１つの形態１〜１１の何れかの投影装置と、該投影装置に光を供給するための少なくとも１つの光源とを含む、自動車両用投光装置のためのマイクロ投影ライトモジュールも好ましい。
（形態１３）少なくとも１つの形態１２のマイクロ投影ライトモジュールを含む車両用投光装置ないし自動車両用投光装置も好ましい。
本発明は、以下において、図面に示されている例示的かつ非限定的な実施形態ないし実施例を用いて詳細に説明される。
なお、特許請求の範囲に付記した図面参照符号は専ら発明の理解のためのものであり、本発明を図示の態様に限定することは意図していない。
【手続補正４】
【補正対象書類名】明細書
【補正対象項目名】００４９
【補正方法】変更
【補正の内容】
【００４９】
ここに、本発明の可能な態様を付記する。
［付記１］自動車両用投光装置のための投影装置。
投影装置は、当該投影装置に割り当てられた少なくとも１つの光源の光を自動車両の前方の領域に少なくとも１つの光分布、即ち減光ライト光分布の形で結像するよう構成されている。
投影装置は、
・好ましくはアレイに配置されたマイクロ入射光学系の全数を有する入射光学系、
・好ましくはアレイに配置されたマイクロ出射光学系の全数を有する出射光学系
を含む。
各マイクロ入射光学系には丁度１つのマイクロ出射光学系が割り当てられている。
マイクロ入射光学系から出射する実質的にすべての光がそれに割り当てられたマイクロ出射光学系にのみ入射するよう、マイクロ入射光学系は構成されており及び／又はマイクロ入射光学系とマイクロ出射光学系は互いに対し配置されている。
マイクロ入射光学系によって予成形された光はマイクロ出射光学系によって自動車両の前方の領域に少なくとも１つの光分布として結像される。
各マイクロ入射光学系はそれ自身を通過した光を少なくとも１つのマイクロ出射光学系焦点に合焦し、該マイクロ出射光学系焦点はマイクロ入射光学系とそれに割り当てられたマイクロ出射光学系との間に位置し、マイクロ入射光学系とマイクロ出射光学系の間には少なくとも１つの絞り装置が配置されている。
少なくともマイクロ入射光学系とこれに割り当てられたマイクロ出射光学系とこれらの間に位置する少なくとも１つの絞り装置とによって夫々１つの減光ライトマイクロ光学系が構成される。
少なくとも１つの絞り装置は、夫々のマイクロ出射光学系によって放射される光分布が減光ライト光分布の一部分を構成するように、夫々のマイクロ出射光学系によって結像される光分布を制限するよう構成されており、このために、絞り装置は、減光ライト光分布の明暗境界の推移を結像する少なくとも１つの光学的作用絞りエッジを有する。
減光ライトマイクロ光学系の全数は少なくとも２つのグループの減光ライトマイクロ光学系、即ち、
・少なくとも第１バリエーションの絞り装置を備えた第１グループの減光ライトマイクロ光学系、及び、
・少なくとも第２バリエーションの絞り装置を備えた第２グループの減光ライトマイクロ光学系
を含む。
第２バリエーションの絞り装置に、絞りエッジにまで形成された絞り装置の遮光領域の内部に明暗境界の上側に位置する光分布を結像するための少なくとも部分的に透光性の少なくとも１つのウインドウが形成されていることによって、第２バリエーションの絞り装置の形状は少なくともその点に関し第１バリエーションの絞り装置の形状と相違している。
［付記２］上記の投影装置において、第２バリエーションの個別減光ライトマイクロ光学系は、明暗境界の上側に位置する光分布が明暗境界から０．５°〜２°の垂直方向角度をなして離隔されるよう構成されている。
［付記３］上記の投影装置において、第２バリエーションの個別減光ライトマイクロ光学系は、明暗境界の上側に位置する光分布が１０°〜５０°の水平角度領域にわたって及び２°〜１０°の垂直角度領域にわたって延在するよう構成されている。
［付記４］上記の投影装置において、第２バリエーションの個別減光ライトマイクロ光学系の少なくとも部分的に透光性のウインドウは実質的に矩形の形状を有する。
［付記５］上記の投影装置において、第２バリエーションの個別減光ライトマイクロ光学系の少なくとも部分的に透光性のウインドウはＵ字状に形成されている。
［付記６］上記の投影装置において、第２バリエーションの個別減光ライトマイクロ光学系の少なくとも透光性のウインドウは完全に透光性である。
［付記７］上記の投影装置において、第２バリエーションの個別減光ライトマイクロ光学系の透光性のウインドウは部分的にのみ透光性である。
［付記８］上記の投影装置において、少なくとも１つの絞り装置はガラス製の支持体に結合している。
［付記９］上記の投影装置において、入射光学系も出射光学系も、当該入射光学系と当該出射光学系との間に配置された絞り装置の少なくとも１つの支持体に固定的に結合されている。
［付記１０］上記の投影装置において、入射光学系及び出射光学系と少なくとも１つの支持体との固定的結合は夫々透明な接着結合として形成されている。
［付記１１］少なくとも１つの上記の投影装置と、該投影装置に光を供給するための少なくとも１つの光源とを含む、自動車両用投光装置のためのマイクロ投影ライトモジュール。
［付記１２］少なくとも１つの上記のマイクロ投影ライトモジュールを含む車両用投光装置、とりわけ自動車両用投光装置。
【国際調査報告】
2021506066.tif 000015
2021506066.tif 000016
2021506066.tif 000017
2021506066.tif 000018
2021506066.tif 000019